(57)【要約】【課題】障子を閉める際に障子の垂れ下がりを修正できるとともに、その垂れ下がりを修正するための部品点数を削減できてコストも低減できる建具を提供すること。【解決手段】網戸枠４０側にガイド部材８を取り付け、網戸面材４５にガイド部材８が挿入される開口４６０を設ける。網戸面材４５を閉めた際に前記開口４６０内に挿入されるガイド部材８の突出部８５の先端に傾斜面８７を形成する。網戸面材４５を閉めた際に開口４６０の上側端面４６１が傾斜面８７に沿って移動し、網戸面材４５が持ち上げられる。このため、網戸面材４５を閉めるに従って、網戸面材４５の垂れ下がりを改善でき、網戸面材４５をスムーズに閉めることができる。【選択図】図５
2010112066.tif 000002
【特許請求の範囲】
【請求項１】
上枠、下枠および左右の縦枠を備える建具枠と、上框、下框および左右の縦框を備えるとともに前記建具枠に対して開閉自在に取り付けられる開閉面材とを備える建具であって、
前記開閉面材は、垂直軸を中心として戸先側が開き位置と閉じ位置とに渡って回動自在となるよう前記建具枠によって支持されており、
前記建具枠または開閉面材のいずれか一方には、傾斜面および支持面を備えるガイド部材が、他方には、前記ガイド部材の傾斜面および支持面に摺接する当接部がそれぞれ設けられ、
前記開閉面材を開き位置から閉じ位置へ閉める際に、前記当接部が前記ガイド部材の前記傾斜面に当接しながら傾斜面に沿って移動し、前記開閉面材の戸先側が持ち上げられ、
前記開閉面材を閉じ位置へ閉めた際に、前記当接部が前記ガイド部材の前記支持面に当接することで、前記開閉面材の戸先側が持ち上げられた状態に支持されることを特徴とする建具。
【請求項２】
前記ガイド部材の前記建具枠または開閉面材における見付け方向の配置位置は、前記建具枠または開閉面材の見付け方向の中央位置よりも吊元側の位置であり、
前記当接部は、前記ガイド部材の傾斜面および支持面に当接可能な位置に形成されていることを特徴とする請求項１に記載の建具。
【請求項３】
前記ガイド部材は前記建具枠側に設けられ、
前記開閉面材の框には前記ガイド部材が挿入される開口が形成され、
この開口の上側端面によって前記当接部が形成され、
前記開閉面材を閉めた際に、前記ガイド部材の傾斜面が前記開口内に挿入されて前記当接部が傾斜面に当接しながら傾斜面に沿って移動し、さらに前記当接部が傾斜面から支持面上に移動して支持面に当接し、支持されることを特徴とする請求項１または請求項２に記載の建具。
【請求項４】
前記建具は、建物開口に設けられるとともに、前記開閉面材が室内側に開閉する内開きの建具であり、
前記ガイド部材は、開閉面材の室外側に設けられた上枠に設けられ、
前記開口は、開閉面材の上框の室外面に形成されていることを特徴とする請求項３に記載の建具。
【請求項５】
前記建具は、前記建具枠としての網戸枠と、前記開閉面材としての網戸面材を備える網戸であり、
前記網戸は、建物開口に設けられた窓の室内側に配置され、
前記網戸枠は、前記窓の窓枠とは別体とされ、前記窓枠、窓枠が設けられる壁、前記壁に設けられる額縁の少なくともいずれかに取り付けられ、
前記ガイド部材は、前記窓枠、窓枠が設けられる壁、前記壁に設けられる額縁の少なくともいずれかに取り付けられるとともに、前記網戸枠にも接合されていることを特徴とする請求項１から請求項４のいずれかに記載の建具。
【発明の詳細な説明】
【技術分野】
【０００１】
本発明は、建具に関する。
【背景技術】
【０００２】
従来、開き窓や縦辷出し窓等の建具であって、窓枠と、窓枠に対して室外側や室内側に開閉自在に支持された障子（開き障子）とを備えたものが知られている。この開き障子は、一方の縦框をヒンジなどによって窓枠に取り付けている。このため、障子を開くと、他方の縦框（戸先側の縦框）側が垂れ下がり、そのまま障子を閉めると窓枠に干渉してスムーズに障子を閉めることができない。
【０００３】
このため、開き障子を閉める際に、障子の垂れ下がりを防止する機構を設けたものが提案されている（例えば、特許文献１参照）。
特許文献１には、開き障子の下框にローラを有するダレ止め金具を設け、窓枠の下枠に傾斜面を有するダレ止め受を設けた建具が開示されている。この建具によれば、開き障子を閉めた際にダレ止め受の傾斜面をダレ止め金具のローラが移動することで開き障子が持ち上がり、開き障子の垂れ下がりを解消することができる。
【０００４】
【特許文献１】特開２００３−２７８３１号公報
【発明の開示】
【発明が解決しようとする課題】
【０００５】
しかしながら、前記特許文献１に記載されたような従来の建具では、障子の下框および窓枠の下枠に、ダレ止め金具とダレ止め受の２つの部品を取り付ける必要がある。また、ダレ止め金具は、主体枠およびローラを組み合わせて構成しなければならない。
このため、垂れ下がりを防止するための部品点数が多くなり、コストの削減が難しいなどの不都合が生じる。
【０００６】
本発明の目的は、障子を閉める際に障子の垂れ下がりを修正できるとともに、その垂れ下がりを修正するための部品点数を削減できてコストも低減できる建具を提供することにある。
【課題を解決するための手段】
【０００７】
本発明の建具は、上枠、下枠および左右の縦枠を備える建具枠と、上框、下框および左右の縦框を備えるとともに前記建具枠に対して開閉自在に取り付けられる開閉面材とを備える建具であって、前記開閉面材は、垂直軸を中心として戸先側が開き位置と閉じ位置とに渡って回動自在となるよう前記建具枠によって支持されており、前記建具枠または開閉面材のいずれか一方には、傾斜面および支持面を備えるガイド部材が、他方には、前記ガイド部材の傾斜面および支持面に摺接する当接部がそれぞれ設けられ、前記開閉面材を開き位置から閉じ位置へ閉める際に、前記当接部が前記ガイド部材の前記傾斜面に当接しながら傾斜面に沿って移動し、前記開閉面材の戸先側が持ち上げられ、前記開閉面材を閉じ位置へ閉めた際に、前記当接部が前記ガイド部材の前記支持面に当接することで、前記開閉面材の戸先側が持ち上げられた状態に支持されることを特徴とする。
【０００８】
ここで、本発明の建具としては、外開き窓、縦辷出し窓、内開き窓、外開きドア、内開きドア、開き網戸等のように、面材が吊元側の縦框や上下框の部分で、枠に対して垂直な軸を中心として回動自在に支持される形式の建具が例示できる。
【０００９】
本発明によれば、開閉面材を閉める際に、前記建具枠または開閉面材のいずれか一方に設けられたガイド部材の傾斜面と、いずれか他方に設けられた当接部とが当接し、前記当接部が傾斜面に沿って移動することで開閉面材の垂れ下がりを修正することができる。このため、開閉面材を閉める際に、開閉面材が垂れ下がって建具枠に衝突することもなく、スムーズに開閉面材を閉めることができる。
また、開閉面材を閉めた際には、前記当接部と、ガイド部材の支持面とが当接して支持されるため、開閉面材の垂れ下がりを修正した状態で閉めておくことができる。このため、開閉面材が閉められている際に、開閉面材の垂れ下がりによって建具枠と開閉面材とがずれてしまい意匠性が低下することも無く、気密材の当接状態も正常な状態に維持できる。
さらに、本発明では、前記建具枠または開閉面材のいずれか一方に、傾斜面および支持面を備えるガイド部材を設け、他方に前記ガイド部材の傾斜面および支持面に当接可能な当接部を設けるだけでよいため、従来のローラを有するダレ止め金具やダレ止め受を設ける場合に比べて、部品点数を少なくでき、コストを抑えることができる。
【００１０】
本発明の建具では、前記ガイド部材の前記建具枠または開閉面材における見付け方向の配置位置は、前記建具枠または開閉面材の見付け方向の中央位置よりも開閉面材の吊元側の位置であり、前記当接部は、前記ガイド部材の傾斜面および支持面に当接可能な位置に形成されていることが好ましい。
【００１１】
本発明の建具では、前記ガイド部材は前記建具枠側に設けられ、前記開閉面材の框には前記ガイド部材が挿入される開口が形成され、この開口の上側端面によって前記当接部が形成され、前記開閉面材を閉めた際に、前記ガイド部材の傾斜面が前記開口内に挿入されて前記当接部が傾斜面に当接しながら傾斜面に沿って移動し、さらに前記当接部が傾斜面から支持面上に移動して支持面に当接し、支持されることが好ましい。
【００１２】
本発明では、前記建具は、建物開口に設けられるとともに、前記開閉面材が室内側に開閉する内開きの建具であり、前記ガイド部材は、開閉面材の室外側に設けられた上枠に設けられ、前記開口は、開閉面材の上框の室外面に形成されていることが好ましい。
【００１３】
本発明では、前記建具は、前記建具枠としての網戸枠と、前記開閉面材としての網戸面材を備える網戸であり、前記網戸は、建物開口に設けられた窓の室内側に配置され、前記網戸枠は、前記窓の窓枠とは別体とされ、前記窓枠、窓枠が設けられる壁、前記壁に設けられる額縁の少なくともいずれかに取り付けられ、前記ガイド部材は、前記窓枠、窓枠が設けられる壁、前記壁に設けられる額縁の少なくともいずれかに取り付けられるとともに、前記網戸枠にも接合されていることが好ましい。
【発明を実施するための最良の形態】
【００１４】
以下、本発明の実施形態を図面に基づいて説明する。
図１は、本発明の実施形態に係る外開き窓１を示す縦断面図である。図２は、外開き窓１を示す横断面図である。
図１および図２において、外開き窓１は、戸建て住宅等の建物の外壁１００の開口部に設けられて建物の室内空間と室外空間とを仕切るものであり、外壁開口部に固定される枠体としての窓枠２と、この窓枠２の内側に開閉自在に支持される面材としての障子３と、この障子３の室内側に対向して設けられる網戸４とを備えて構成されている。窓枠２は、それぞれ枠材としての上枠５、下枠６および左右の縦枠７を四周枠組みして構成されている。障子３は、図示を略すが上框、下框および左右の縦框を四周框組みした内部にガラスパネルを嵌め込んで構成される。そして、障子３は、図２の左側の縦枠７に、ヒンジ部材３５を介して支持され、図２の右側の縦框が室外側に回動するようにして開閉可能になっている。
【００１５】
網戸４は、網戸枠４０と、この網戸枠４０に支持されて室内側に開閉自在に設けられる網戸面材４５とを有して構成されている。
本実施形態では、前記網戸４で本発明の建具が構成される。従って、網戸枠４０で建具枠が構成され、網戸面材４５で開閉面材が構成される。
【００１６】
網戸枠４０は、上網戸枠４１、下網戸枠４２および左右の縦網戸枠４３，４４を四周枠組みして構成されている。
網戸面材４５は、上網戸框４６、下網戸框４７および左右の縦網戸框４８，４９が四周框組みされ、その内部にネット６０が支持されて構成されている。この網戸面材４５は、図２の右側の縦網戸框４９の上下がヒンジ部材５０で軸支されている。
ヒンジ部材５０は、網戸面材４５の上端面および下端面に固定された接合プレート５１と、接合プレート５１に対して回動自在に設けられて縦網戸框４９に固定されたヒンジ部５２とを備えている。
このため、網戸面材４５は、図２の右側の縦網戸框４９側を垂直な回転軸とし、図２の左側の縦網戸框４８が室内側に回動するようにして開閉可能とされている。従って、縦網戸框４９で吊元側の縦框が構成され、縦網戸框４８で戸先側の縦框が構成され、網戸面材４５はヒンジ部材５０の垂直な軸を中心として戸先側の縦網戸框４８が開き位置と閉じ位置とに渡って回動自在になるように網戸枠４０に支持されている。
【００１７】
また、網戸面材４５の各框４６〜４９の室外面には、網戸面材４５を閉めた際に網戸枠４０の室内面に当接する気密材５５が取り付けられている。
なお、戸先側の縦網戸框４８に取り付けられた気密材５５の一部には磁石５６が装着され、縦網戸枠４３において前記磁石５６の取付位置に対応する部分にも磁石５７が取り付けられている。このため、網戸面材４５を閉めた際に、縦網戸框４８が網戸枠４０の縦網戸枠４３に磁着して閉じるようになっている。
【００１８】
網戸枠４０の縦網戸枠４３，４４は、建物の外壁開口部の内周面に、つまり建物の壁１００にビス９０によって固定されている。なお、本実施形態では、下網戸枠４２は、建物の外壁開口部の底面に載置されているがビスなどでは固定されていない。同様に、上網戸枠４１も建物の壁にビスなどで固定されていない。但し、上網戸枠４１、下網戸枠４２を、縦網戸枠４３，４４と同様に壁にビス止めしてもよい。
また、上網戸枠４１を壁にビス止めしていない場合は、上網戸枠４１の上面と壁との間に隙間が生じることを防止するため、上網戸枠４１の上面に気密材を設けて隙間が生じないように構成することが好ましい。
【００１９】
そして、図１に示すように、網戸４の網戸枠４０にはガイド部材８が設けられている。
ガイド部材８は、図３，４にも示すように、本体部８０と、本体部８０から突出された突出部８５とを備えている。
本体部８０の上面には、高さレベルが異なる第１上面部８１および第２上面部８２の２つの上面部が設けられている。
第１上面部８１は、突出部８５に隣接して設けられている。第２上面部８２は、第１上面部８１を挟んで、突出部８５とは反対側に設けられている。
そして、本体部８０の底面から第２上面部８２までの高さ寸法は、本体部８０の底面から第１上面部８１までの高さ寸法に比べて大きくされている。
【００２０】
本体部８０には、図４，５にも示すように、底面から前記各上面部８１，８２部分まで連続する溝部８３が形成されている。また、各上面部８１，８２には、溝部８３に連通する貫通孔８４がそれぞれ形成されている。
そして、ガイド部材８は、溝部８３から第１上面部８１の貫通孔８４に挿通されたビス９１によって、建物の壁１００に固定されている。また、上網戸枠４１は、ガイド部材８の第２上面部８２上に配置されており、溝部８３から第２上面部８２の貫通孔８４に挿通されたビス９２によってガイド部材８に固定されている。
【００２１】
一方、突出部８５の上面は、支持面８６および傾斜面８７が形成されている。
支持面８６は略水平な面とされている。また、傾斜面８７は、支持面８６の突出方向先端から連続して形成され、突出部８５の突出方向先端側が下方となるように傾斜されている。
なお、本体部８０の各上面部８１，８２間の部分や突出部８５は、リブ形状とされ、軽量化を図りながら強度を確保できるように構成されている。
【００２２】
一方、網戸面材４５の上網戸框４６には、網戸面材４５を閉める際に、前記ガイド部材８の突出部８５が挿入される開口４６０が形成されている。
なお、ガイド部材８および上網戸框４６の開口４６０は、図６にも示すように、上網戸枠４１や上網戸框４６の見付け方向の中心位置よりも網戸面材４５の支持軸（ヒンジ部材５０）側に設けられている。より具体的には、ガイド部材８は、上網戸枠４１の網戸面材４５を軸支する吊元側の端部からの見付け寸法Ｗ１の位置に取り付けられている。この寸法Ｗ１は、上網戸枠４１の見付け寸法Ｗの１／２以下であればよく、好ましくは１／３以下であればよい。図６に示すように、本実施形態では、寸法Ｗ１は寸法Ｗの約１／４とされている。
【００２３】
そして、前記開口４６０は、前記ガイド部材８の取付位置に対応して、上網戸框４６の室外面を切欠加工することで形成されている。
すなわち、開口４６０の見付け方向の形成位置は、ガイド部材８の見付け方向の形成位置に対応して設定されている。また、開口４６０の高さ方向の形成位置は、図５，７にも示すように、網戸面材４５を閉めた際に、網戸面材４５の戸先側が垂れ下がっていても、ガイド部材８の突出部８５の先端が開口４６０内に挿入されるように設定されている。
なお、開口４６０の幅寸法や高さ寸法は、ガイド部材８の突出部８５の幅寸法や高さ寸法（厚さ寸法）よりも大きくされ、網戸面材４５を閉めた際に開口４６０内に突出部８５がスムーズに挿入されるように構成されている。
なお、本実施形態では、図４，５に示すように、開口４６０の上側端面４６１が前記ガイド部材８の傾斜面８７や支持面８６に当接する。従って、この上側端面４６１によって本発明の当接部が構成されている。
【００２４】
次に、本実施形態において、網戸面材４５を閉めた際の動作について説明する。
ここで、網戸４は、通常の窓１のように、ガラス等の重量の大きな面材を保持するものではなく、軽量なネット６０を保持するものである。このため、網戸面材４５の各網戸框４６〜４９や、網戸枠４０の網戸枠４１〜４４は、通常のサッシに比べて、サイズや肉厚なども小さく、剛性も小さい。
さらに、網戸面材４５は、ヒンジ部材５０で網戸枠４０に軸支されているが、このようなヒンジ部材５０等の網戸部品にガタが生じることもある。
このような要因で、網戸面材４５を開くと垂れ下がりが生じることがある。この垂れ下がりは、図７に示すように、網戸面材４５の吊元側よりも戸先側が大きくなる。
このため、ガイド部材８を設けずに網戸面材４５を閉めると、下網戸框４７が下網戸枠４２に当たってしまい、網戸面材４５をスムーズに閉めることができない。
【００２５】
一方、本実施形態では、網戸枠４０にガイド部材８を取り付け、上網戸框４６にガイド部材８の突出部８５が挿通可能な開口４６０を形成している。
このため、網戸面材４５を閉めると、図５に示すように、突出部８５の先端が開口４６０内に挿入され、そのまま網戸面材４５を閉めると、当接部である開口４６０の上側端面４６１が傾斜面８７に沿って移動する。このため、網戸面材４５を閉めると、網戸面材４５は傾斜面８７によって上方に移動して持ち上げられ、垂れ下がりが抑制される。
【００２６】
さらに、網戸面材４５を閉めると、開口４６０の上側端面４６１は傾斜面８７に連続する支持面８６部分に移動し、上側端面４６１は支持面８６上に接触して支持される。このため、網戸面材４５は、垂れ下がりが抑制された状態でスムーズに閉められる。
この網戸面材４５は、最終的には戸先側の縦網戸框４８および縦網戸枠４３に設けられた磁石５６，５７によって、網戸枠４０に磁着して閉じられる。
【００２７】
このような本実施形態によれば、以下のような効果がある。
（１）網戸枠４０側にガイド部材８を取り付け、網戸面材４５にガイド部材８が挿入される開口４６０を設け、網戸面材４５を閉めた際に前記開口４６０内に挿入されるガイド部材８の突出部８５の先端に傾斜面８７を形成したので、網戸面材４５を閉めた際に開口４６０の上側端面４６１が傾斜面８７に沿って移動し、網戸面材４５が持ち上げられる。このため、網戸面材４５を閉めるに従って、網戸面材４５の垂れ下がりを改善でき、網戸面材４５をスムーズに閉めることができる。
【００２８】
（２）また、網戸面材４５を閉めた際に、上側端面４６１がガイド部材８の支持面８６に当接して支持されるため、網戸面材４５の垂れ下がりを修正した状態で閉めておくことができる。このため、網戸面材４５が閉められている際に、網戸面材４５の垂れ下がりによって網戸枠４０と網戸面材４５とがずれてしまい意匠性が低下することも無く、気密材５５の当接状態も正常な状態に維持できる。
【００２９】
（３）本実施形態は、上網戸框４６に開口４６０を加工して形成し、網戸枠４１側にガイド部材８を取り付けるだけで網戸面材４５の垂れ下がりを修正できるため、従来のローラを有するダレ止め金具やダレ止め受を設ける場合に比べて、部品点数を少なくでき、コストを抑えることができる。
【００３０】
（４）また、ガイド部材８および開口４６０は、上網戸枠４１および上網戸框４６の吊元側の端部からの見付け寸法Ｗ１が、上網戸枠４１および上網戸框４６の見付け寸法Ｗの約１／４とされ、吊元側に近い位置に設けられている。そして、図７に示すように、網戸面材４５が垂れ下がっている場合、上網戸框４６の吊元側の垂れ下がり量は、戸先側の垂れ下がり量に比べて小さい。このため、傾斜面８７の角度や長さ寸法を小さくでき、網戸面材４５を閉めた際に、上側端面４６１を傾斜面８７に沿ってスムーズに移動できる。さらに、ガイド部材８の突出部８５の突出寸法も短くできるため、突出部８５が挿入される上網戸框４６の見込み寸法も小さくでき、スリムなデザインにすることもできる。
【００３１】
（５）ガイド部材８は、上面部８１を挿通するビス９１で建物の壁１００に直接固定されている。そして、網戸枠４０の上網戸枠４１は、ガイド部材８の第２上面部８２上に配置され、ビス９２でガイド部材８に固定されている。
ここで、本実施形態では、網戸枠４０は縦網戸枠４３，４４のみが壁１００に固定されており、上網戸枠４１、下網戸枠４２は壁１００に固定されていない。このため、上網戸枠４１に撓みが発生する可能性があるが、本実施形態では、壁１００に固定されたガイド部材８で、網戸枠４０の上網戸枠４１を支持しているので、上網戸枠４１の撓みを抑制することができる。
【００３２】
（６）ガイド部材８を網戸面材４５の室外側に配置しているので、網戸面材４５を閉めた際には、ガイド部材８や開口４６０が室内に露出せず、意匠性を向上できる。特に、ガイド部材８は、網戸面材４５を閉めた際に、上網戸框４６や上網戸枠４１で室内側から見えないように隠されるため、意匠性を向上することができる。
また、上網戸框４６の室外面に開口４６０を形成しているので、既に商品化されている網戸において、上網戸框に切欠加工を施し、網戸枠側にガイド部材８を取り付けることで本実施形態の網戸４を構成できる。従って、切欠加工で上側端面４６１を形成できるため、当接部を有する框用の新しい金型を用意する必要もなく、本実施形態の網戸４のコストをより抑えることができる。
さらに、ガイド部材８および開口４６０は、上網戸枠４１および上網戸框４６に形成しているので、網戸面材４５を開いた場合も、視線を上に向けないと視認することができず、目立ちにくいため、この点でも意匠性を向上できる。
【００３３】
なお、本発明は、前記実施形態に限定されるものではなく、本発明の目的を達成できる他の構成等を含み、以下に示すような変形等も本発明に含まれる。
例えば、前記実施形態においては、本発明の建具として、内開きタイプの網戸４を例示したが、外開きタイプの網戸であってもよい。さらに、建具としては、網戸に限らず、外開き窓、内開き窓、縦辷出し窓、外開きドア、内開きドアなどであってもよい。要するに、本発明は、障子の一方の縦框や上下框側で枠に対して垂直な軸を中心に回動自在に支持され、戸先側が垂れ下がる可能性がある各種の窓やドアに適用できる。
【００３４】
ガイド部材８は、上網戸枠４１に設けられるものに限らず、下網戸枠４２や縦網戸枠４３に設けてもよい。この際、ガイド部材８の突出部８５が挿入される開口は、対応する下網戸框４７や縦網戸框４８に形成すればよい。
但し、下網戸枠４２や縦網戸枠４３にガイド部材８を設けると、網戸面材４５を開いた際にガイド部材８が目に付きやすいため、意匠性を向上できる点で前記実施形態のほうが好ましい。
【００３５】
また、ガイド部材８は、突出部８５を室外側に向けた状態で網戸面材４５の上網戸框４６、下網戸框４７、縦網戸框４８のいずれかに取り付けてもよい。この場合、網戸枠４１〜４３の室内面に前記突出部８５が挿通される開口を形成すればよい。この場合、突出部８５の下面に、室内側から室外側に向かって斜め上方に傾斜する傾斜面を形成し、開口の下面に前記傾斜面を接触させながら網戸面材４５を閉めることで、網戸面材４５が持ち上がるように構成すればよい。
但し、この場合、網戸面材４５の荷重が開口が形成された網戸枠４０側に加わるため、開口が形成される網戸枠４１〜４３を壁１００に固定しておく必要がある。
【００３６】
ガイド部材８の支持面８６および傾斜面８７の具体的な構成は前記実施形態に限らない。例えば、図８に示すように、支持面８６を傾斜面８７の上端よりも低い高さ位置に形成し、傾斜面８７の上端から支持面８６に向かって下方に傾斜する傾斜面８８を形成してもよい。
このようなガイド部材８を用いれば、上側端面４６１が支持面８６に位置する網戸面材４５を閉めた状態から上側端面４６１が傾斜面８７に移動する際に、上側端面４６１は傾斜面８８を乗り越えなければならない。このため、閉められた網戸面材４５が風などで勝手に開いてしまうことを防止できる。従って、網戸面材４５が風でがたつくことも防止できる。
【００３７】
また、ガイド部材８としては、図９に示すように、支持面８６を傾斜面８７の上端からガイド部材８の本体部８０に向かって下方に傾斜する傾斜面で形成したものでもよい。
このようなガイド部材８を用いれば、上側端面４６１が支持面８６に位置する網戸面材４５を閉めた状態では、支持面８６の傾斜および網戸面材４５の自重によって、網戸面材４５には網戸枠４０側に向かう方向の力が常に加わるため、閉められた網戸面材４５が風などで勝手に開いてしまうことや、網戸面材４５が風でがたつくことも防止できる。
【００３８】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３９】
【図１】本発明の実施形態に係る建具を示す縦断面図である。
【図２】前記建具を示す横断面図である。
【図３】前記建具におけるガイド部材を拡大して示す斜視図である。
【図４】前記建具におけるガイド部材を拡大して示す斜視図である。
【図５】前記建具における上網戸框の移動状態を示す図である。
【図６】前記建具におけるガイド部材および開口の形成位置を説明する概略図である。
【図７】前記建具における上網戸框の垂れ下がり状態を説明する概略図である。
【図８】本発明の変形例に係るガイド部材の突出部を拡大して示す側面図である。
【図９】本発明の変形例に係るガイド部材の突出部を拡大して示す側面図である。
【符号の説明】
【００４０】
１…外開き窓、２…窓枠、３…障子、４…網戸（建具）、８…ガイド部材、４０…網戸枠（建具枠）、４１…上網戸枠、４５…網戸面材（開閉面材）、４６…上網戸框、５０…ヒンジ部材、５５…気密材、６０…ネット、８０…本体部、８５…突出部、８６…支持面、８７…傾斜面、１００…壁、４６０…開口、４６１…上側端面（当接部）。
【図１】
2010112066.tif 000003
【図２】
2010112066.tif 000004
【図３】
2010112066.tif 000005
【図４】
2010112066.tif 000006
【図５】
2010112066.tif 000007
【図６】
2010112066.tif 000008
【図７】
2010112066.tif 000009
【図８】
2010112066.tif 000010
【図９】
2010112066.tif 000011